【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
撮像素子により撮影を行って得られた画像を、表示手段に逐次表示する電子ファインダー機能を有する撮像装置であって、
前記撮像素子により得られた画像の画像データから、人の顔を示す領域を検出する顔検出処理を行う顔検出手段と、
前記表示手段に表示する画像を拡大表示するための拡大表示処理を行う表示処理手段と、
前記電子ファインダー機能を用いて画像を表示している間、前記顔検出手段により前記顔検出処理が実施されている場合に、前記表示処理手段による前記拡大表示処理を禁止し、前記顔検出処理が実施されていない場合に、前記拡大表示処理を禁止しないように制御する制御手段と
を有することを特徴とする撮像装置。
【請求項２】
撮像素子により撮影を行って得られた画像を、表示手段に逐次表示する電子ファインダー機能を有する撮像装置であって、
前記撮像素子により得られた画像の画像データから、人の顔を示す領域を検出する顔検出処理を行う顔検出手段と、
前記表示手段に表示する画像を拡大表示するための拡大表示処理を行う表示処理手段と、
前記電子ファインダー機能を用いて画像を表示している間、前記表示処理手段により前記拡大表示処理が実施されている場合に、前記顔検出手段による顔検出処理を禁止し、前記拡大表示処理が実施されていない場合に、前記顔検出処理を禁止しないように制御する制御手段と
を有することを特徴とする撮像装置。
【請求項３】
撮像素子により撮影を行って得られた画像を、表示手段に逐次表示する電子ファインダー機能を有する撮像装置であって、
前記撮像素子により得られた画像の画像データから、人の顔を示す領域を検出する顔検出処理を行う顔検出手段と、
前記表示手段に表示する画像の拡大倍率を設定するための設定手段と、
前記電子ファインダー機能を用いて画像を表示している間、前記設定手段により前記拡大倍率が予め決められた閾値よりも大きい拡大倍率に設定された場合に、前記顔検出処理を禁止し、前記拡大倍率が予め決められた閾値よりも大きい拡大倍率に設定されていない場合に、前記顔検出処理を禁止しないように制御する制御手段と
を有することを特徴とする撮像装置。
【請求項４】
撮像素子により撮影を行って得られた画像を、表示手段に逐次表示する電子ファインダー機能を有する撮像装置であって、
前記撮像素子により得られた画像の画像データから、人の顔を示す領域を検出する顔検出処理を行う顔検出手段と、
前記顔検出手段による顔検出処理の実行の有無を選択するための選択手段と、
前記表示手段に表示する画像の拡大倍率を設定するための設定手段と、
前記電子ファインダー機能を用いて画像を表示している間、前記選択手段により顔検出処理の実行が選択されていることに応じて、前記設定手段により設定された拡大倍率が予め決められた閾値以下に収まるように制御する制御手段と
を有することを特徴とする撮像装置。
【請求項５】
前記閾値は、予め決められた前記顔検出処理の検出精度を達成することが可能な拡大倍率であることを特徴とする請求項３または４に記載の撮像装置。
【請求項６】
撮像素子により撮影を行って得られた画像を、表示手段に逐次表示する電子ファインダー機能を有する撮像装置の制御方法であって、
顔検出手段が、前記撮像素子により得られた画像の画像データから、人の顔を示す領域を検出する顔検出処理を行う顔検出工程と、
表示処理手段が、前記表示手段に表示する画像を拡大表示するための拡大表示処理を行う表示処理工程と、
制御手段が、前記電子ファインダー機能を用いて画像を表示している間、前記顔検出工程において前記顔検出処理が実施されている場合に、前記表示処理工程における前記拡大表示処理を禁止し、前記顔検出処理が実施されていない場合に、前記拡大表示処理を禁止しないように制御する制御工程と
を有することを特徴とする制御方法。
【請求項７】
撮像素子により撮影を行って得られた画像を、表示手段に逐次表示する電子ファインダー機能を有する撮像装置の制御方法であって、
顔検出手段が、前記撮像素子により得られた画像の画像データから、人の顔を示す領域を検出する顔検出処理を行う顔検出工程と、
表示処理手段が、前記表示手段に表示する画像を拡大表示するための拡大表示処理を行う表示処理工程と、
制御手段が、前記電子ファインダー機能を用いて画像を表示している間、前記表示処理工程において前記拡大表示処理が実施されている場合に、前記顔検出工程における前記顔検出処理を禁止し、前記拡大表示処理が実施されていない場合に、前記顔検出処理を禁止しないように制御する制御工程と
を有することを特徴とする制御方法。
【請求項８】
撮像素子により撮影を行って得られた画像を、表示手段に逐次表示する電子ファインダー機能を有する撮像装置の制御方法であって、
顔検出手段が、前記撮像素子により得られた画像の画像データから、人の顔を示す領域を検出する顔検出処理を行う顔検出工程と、
設定手段が、前記表示手段に表示する画像の拡大倍率を設定する設定工程と、
判断手段が、前記設定工程で前記拡大倍率が予め決められた閾値よりも大きい拡大倍率に変更されたかどうかを判断する判断工程と、
制御手段が、前記電子ファインダー機能を用いて画像を表示している間、前記判断工程において、前記拡大倍率が前記閾値よりも大きい拡大倍率に設定されたと判断された場合に、前記顔検出処理を禁止し、前記拡大倍率が前記閾値よりも大きい拡大倍率に設定されていないと判断された場合に、前記顔検出処理を禁止しない禁止工程と
を有することを特徴とする制御方法。
【請求項９】
撮像素子により撮影を行って得られた画像を、表示手段に逐次表示する電子ファインダー機能を有する撮像装置の制御方法であって、
顔検出手段が、前記撮像素子により得られた画像の画像データから、人の顔を示す領域を検出する顔検出処理を行う顔検出工程と、
設定手段が、前記表示手段に表示する画像の拡大倍率を設定する設定工程と、
選択手段が、前記顔検出工程における顔検出処理の実行の有無を選択する選択工程と、
制御手段が、前記電子ファインダー機能を用いて画像を表示している間、前記選択工程で顔検出処理の実行が選択されていることに応じて、前記設定工程において設定された拡大倍率が予め定められた閾値以下に収まるように制御する制御工程と
を有することを特徴とする制御方法。
【手続補正２】
【補正対象書類名】明細書
【補正対象項目名】００１４
【補正方法】変更
【補正の内容】
【００１４】
本発明は上記問題点を鑑みてなされたものであり、撮像素子により撮影を行って得られた画像を、表示手段に逐次表示する電子ファインダー機能を有する本発明の撮像装置は、前記撮像素子により得られた画像の画像データから、人の顔を示す領域を検出する顔検出処理を行う顔検出手段と、前記表示手段に表示する画像を拡大表示するための拡大表示処理を行う表示処理手段と、前記電子ファインダー機能を用いて画像を表示している間、前記顔検出手段により前記顔検出処理が実施されている場合に、前記表示処理手段による前記拡大表示処理を禁止し、前記顔検出処理が実施されていない場合に、前記拡大表示処理を禁止しないように制御する制御手段とを有することを特徴とする。
【手続補正３】
【補正対象書類名】明細書
【補正対象項目名】００１５
【補正方法】変更
【補正の内容】
【００１５】
また、撮像素子により撮影を行って得られた画像を、表示手段に逐次表示する電子ファインダー機能を有する撮像装置の本発明の制御方法は、顔検出手段が、前記撮像素子により得られた画像の画像データから、人の顔を示す領域を検出する顔検出処理を行う顔検出工程と、表示処理手段が、前記表示手段に表示する画像を拡大表示するための拡大表示処理を行う表示処理工程と、制御手段が、前記電子ファインダー機能を用いて画像を表示している間、前記顔検出工程において前記顔検出処理が実施されている場合に、前記表示処理工程における前記拡大表示処理を禁止し、前記顔検出処理が実施されていない場合に、前記拡大表示処理を禁止しないように制御する制御工程とを有することを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】